(57)【特許請求の範囲】
【請求項１】
撮像素子によって撮像された画像信号中の高周波成分を焦点評価値として検出し、前記焦点評価値に基づいてフォーカスレンズを駆動して合焦動作を行う焦点合焦手段と、撮影画面の任意の位置に任意の大きさの測距領域を設定することが可能な測距領域設定手段と、前記画像信号からスミアの発生領域を検出するスミア検出手段と、撮像された画像を用いて顔検出を行う顔検出手段と、を有する自動焦点調節装置であって、
前記測距領域設定手段は、前記顔検出手段の顔検出結果に基づいて前記測距領域を設定する際に、前記顔検出手段にて検出された顔検出位置において前記スミア検出手段により検出されたスミアエッジを避けて、前記測距領域の位置と大きさ、および、前記測距領域の数を設定することを特徴とする自動焦点調節装置。
【請求項２】
前記スミア検出手段で検出されたスミア検出情報に基づいてスミアの補正を行うスミア補正手段と、を有する請求項１に記載の自動焦点調節装置。  
【請求項３】
請求項１又は２に記載の自動焦点調節装置を有する撮像装置。
【発明の詳細な説明】
【技術分野】
【０００１】
本発明は、画像信号中の高周波成分を焦点評価値として検出し、焦点評価値に基づいてフォーカスレンズを駆動して合焦動作を行う自動焦点調節装置および撮像装置に関するものである。
【背景技術】
【０００２】
撮像素子にＣＣＤ（電荷結合素子）を用いたデジタルカメラにおいては、太陽やライトなどの高輝度被写体を撮影すると撮影画面の縦方向に帯状の明るい線が発生する。この現象はスミアと呼ばれ、入射光量の大きな部分の光電変換素子で生じた電荷が、転送して読み出す際に転送路に溢れ出すなどして起こる。
【０００３】
また、撮像素子にＣＣＤを用いたデジタルカメラにおいては、被写体像の輝度信号の高周波成分（以下、焦点評価値）が最大となるフォーカスレンズ位置を合焦位置として焦点調節を行う、いわゆるコントラスト検出方式が採用されることが多い。
【０００４】
上記撮像素子にＣＣＤを用いたデジタルカメラにおいて、コントラスト検出方式によるオートフォーカス（ＡＦ）制御を実施するとする。この場合、コントラスト検出を行う測距領域（ＡＦ領域）中にスミアが発生していると、合焦状態でないフォーカスレンズ位置においても該スミアエッジによって焦点評価値が大きくなり、誤測距してしまう問題があった。
【０００５】
この問題に対し、例えば、特許文献１では、スミアの無い領域にてＡＦ動作（ＡＦ制御）するように構成した自動焦点調節装置が記載されている。
【特許文献１】特許第３５６３５０８号公報
【発明の開示】
【発明が解決しようとする課題】
【０００６】
しかしながら、特許文献１では、スミアの無いいずれかの領域の焦点評価値に基づいてＡＦ動作を行うものであるため、スミアが所望の被写体に重なるように発生した場合には、所望の被写体に対して合焦動作ができなくなるものであった。
【０００７】
（発明の目的）
本発明の目的は、スミアが所望の被写体に重なるように発生した場合であっても、所望の被写体に対して合焦動作を行うことのできる自動焦点調節装置および撮像装置を提供しようとするものである。
【課題を解決するための手段】
【０００８】
上記目的を達成するために、本発明は、撮像素子によって撮像された画像信号中の高周波成分を焦点評価値として検出し、前記焦点評価値に基づいてフォーカスレンズを駆動して合焦動作を行う焦点合焦手段と、撮影画面の任意の位置に任意の大きさの測距領域を設定することが可能な測距領域設定手段と、前記画像信号からスミアの発生領域を検出するスミア検出手段と、撮像された画像を用いて顔検出を行う顔検出手段と、を有する自動焦点調節装置であって、
前記測距領域設定手段は、前記顔検出手段の顔検出結果に基づいて前記測距領域を設定する際に、前記顔検出手段にて検出された顔検出位置において前記スミア検出手段により検出されたスミアエッジを避けて、前記測距領域の位置と大きさ、および、前記測距領域の数を設定することを特徴とする。
【発明の効果】
【００１０】
本発明によれば、スミアが所望の被写体に重なるように発生した場合であっても、所望の被写体に対して合焦動作を行うことができる自動焦点調節装置または撮像装置を提供できるものである。
【発明を実施するための最良の形態】
【００１１】
本発明を実施するための最良の形態は、以下の実施例に示す通りである。
【実施例】
【００１２】
図１は本発明の実施例１に係る撮像装置であるデジタルカメラの概略構成を示すブロック図である。
【００１３】
本実施例１に係るデジタルカメラは、撮像光学系として、光学系１０１およびフォーカスレンズ１０２を持つ。そして、撮像光学系により結像された光を撮像素子１０３により光電変換する。そして、出力ノイズを除去するＣＤＳ部や非線形増幅部を備えた前置処理回路１０４とＡ／Ｄ変換器１０５を通してデジタル化した信号をメモリコントローラ１０６を介してメモリ１０７に格納する。また、画像処理部１０８によって画像に変換してから記録媒体１０９に記録する。
【００１４】
なお、１１０は操作表示部であり、画像表示やカメラ状態情報の表示の他、撮影時には撮影画面と測距領域を表示する。１１１は撮影準備動作を行うためのスイッチ（以下、単にスイッチＳＷ１と記す）である。１１２はスイッチＳＷ１の操作後の撮影を行う際に用いられる撮影スイッチ（以下、単にスイッチＳＷ２と記す）、１２０はシステムに電源を投入するためのメインスイッチ（以下、単にメインＳＷと記す）である。スイッチＳＷ１の操作によりＡＦなどの撮影準備動作が行われ、スイッチＳＷ２の操作により撮影および画像の記録が行われる。
【００１５】
フォーカス動作は、システム制御部１１３により制御される。まず、顔検出回路１１５によって顔位置を検出する。顔検出の方法については、公知の方法を用いればよい。ここでは、検出された顔の数と、それぞれの顔の位置およびサイズ情報が得られるものとする。次に、測距領域設定回路１１６により測距領域を設定し、フォーカスレンズ駆動回路１１４を介してフォーカスレンズ１０２を駆動する。複数箇所のフォーカスレンズ位置においてそれぞれ撮影した画像信号を用いて、後述するように焦点評価値演算回路１１７により焦点評価値を演算する。得られた焦点評価値から合焦位置決定部１１８においてフォーカスレンズ１０２の合焦位置を決定して該フォーカスレンズ１０２を駆動し、合焦領域決定部１１９により合焦と判定された測距領域（合焦領域）を操作表示部１１０に表示する。
【００１６】
焦点評価値演算回路１１７による焦点評価値の演算は次のように行う。測距領域内の画像信号の各ラインに水平方向のバンドパスフィルタを適用する。次に、ライン毎にバンドパスフィルタ出力信号の絶対値の最も大きいものを選択する。選択した信号を垂直方向に積分する。このような構成により、水平方向のコントラストの大きいものが検出され、垂直方向に積分することで信号のＳ／Ｎの向上した信号が得られるが、この信号は合焦状態で最も値が大きくなり、デフォーカス状態にすると値が小さくなるような信号となる。したがって、該信号が極大値となるフォーカスレンズ１０２の位置を検出し、その位置で撮影を行うことで合焦した画像を得ることができる。
【００１７】
スミア領域の検出と補正の方法について、図７（ａ）〜（ｃ）を参照しながら簡単に述べる。なお、図７（ａ）において、７０１はスミア領域、７０２は高輝度光源である。
【００１８】
スミア検出回路１２１では、遮光されたオプティカルブラック（ＯＢ）領域における輝度信号（図７（ｂ）参照）により、スミアの発生領域を検出する。輝度信号が所定値以上となる領域をスミア領域７０１とし、輝度信号をバンドパスフィルタにより微分信号（図７（ｃ）参照）として、スミアエッジの位置を検出する。スミア補正回路１２２では、スミア検出回路１２１で検出されたスミア検出情報に基づいてスミアの補正を行う。スミア領域７０１について、撮影画面の輝度信号からＯＢ領域における輝度信号を減算することで、スミアを補正する。
【００１９】
以下、本発明の実施例１に係るデジタルカメラの動作について、図２のフローチャートを用いて説明する。
【００２０】
まず、ステップＳ２０１では、システムに電源を投入するメインＳＷの状態を検出し、ＯＮであればステップＳ２０２へ進む。ステップＳ２０２では、記録媒体１０９の残容量を調べ、残容量が０であればステップＳ２０３へ進み、そうでなければステップＳ２０４へ進む。ステップＳ２０３へ進むと、記録媒体１０９の残容量が０であることを警告してステップＳ２０１に戻る。警告は操作表示部１１０に表示するか又は図示しない音声出力部から警告音を出すか、又はその両方を行ってもよい。
【００２１】
上記ステップＳ２０２にて記録媒体１０９の残容量が０でないとしてステップＳ２０４へ進むと、スミア検出回路１２１にてスミア検出を行い、さらにスミア補正回路１２２においてスミア補正を行う。ここでスミア補正された画像信号により操作表示部１１０にて画像表示を行う。次のステップＳ２０５では、上記ステップ２０４にてスミア補正された画像信号により、顔検出回路１１５において顔検出処理を実行し、顔の位置と大きさの顔検出情報を取得する。
【００２２】
次のステップＳ２０６では、スイッチＳＷ１の状態を調べ、ＯＮであればステップＳ２０８へ進み、そうでなければステップＳ２０７へ進む。スイッチＳＷ１の機能は、ＡＦ（オートフォーカス）やＡＥ（オートエキスポ−ジャー）などの撮影準備動作を行わせることである。スイッチＳＷ１がＯＦＦであるとしてステップＳ２０６からステップＳ２０７へ進んだ場合は、メインＳＷの状態を調べ、ＯＮであればステップＳ２０４へ戻り、そうでなければステップＳ２０１へ戻る。
【００２３】
上記ステップＳ２０６にてスイッチＳＷ１がＯＮであるとしてステップＳ２０８へ進むと、上記ステップＳ２０４でスミア補正された画像信号によりシステム制御部１１３にてＡＥ処理を行う。次のステップＳ２０９では、ＡＦ処理（詳細は図３を用いて後述）を行う。ここで、ＡＦ処理はスミア補正されていない画像処理部１０８の出力信号により行う。続くステップＳ２１０では、スイッチＳＷ２の状態を調べ、ＯＮであればステップＳ２１２へ進み、そうでなければステップＳ２１１へ進む。スイッチＳＷ２の機能は、スイッチＳＷ１の操作後に撮影動作を開始させることである。
【００２４】
スイッチＳＷ２がＯＦＦであるとしてステップＳ２１１へ進むと、ここではスイッチＳＷ１の状態を調べ、ＯＮであればステップＳ２１０へ戻り、そうでなければステップＳ２０４へ戻る。
【００２５】
上記ステップＳ２１０にてスイッチＳＷ２がＯＮであるとしてステップＳ２１２へ進むと、撮影動作  （詳細は図６にて後述）を行う。次のステップＳ２１３では、記録媒体１０９の残容量を調べ、残容量が０であれば警告を行うステップＳ２０３へ戻る。一方、記録媒体１０９の残容量が０でなければステップＳ２１４へ進み、スイッチＳＷ２の状態を調べ、ＯＮの間はこのステップで待機し、その後ＯＦＦするとステップＳ２１１へ戻る。
【００２６】
次に、図２のステップＳ２０９にて実行されるＡＦ処理について、図３のフローチャートを用いて説明する。この制御はシステム制御部１１３により行われる。
【００２７】
まず、ステップＳ３０１では、測距領域設定部１１６において後述する図４のフローチャートに従ってスミア発生の有無や顔検出結果を反映した測距領域設定を行う。次のステップＳ３０２では、スキャン開始位置にフォーカスレンズ１０２を移動させる。スキャン開始位置は、本実施例１では、設定されたスキャン範囲の一端に設定される。続くステップＳ３０３では、上記ステップＳ３０１で設定された測距領域の焦点評価値とフォーカスレンズ１０２の位置をシステム制御部１１３に内蔵される不図示の演算メモリに記憶する。
【００２８】
次のステップＳ３０４では、フォーカスレンズ１０２の位置がスキャン終了位置にあるかどうかを調べ、終了位置であればステップＳ３０６へ進み、そうでなければステップＳ３０５へ進む。上記スキャン終了位置は、設定されたスキャン範囲の他端に設定される。フォーカスレンズ１０２の位置がスキャン終了位置でないとしてステップＳ３０５へ進むと、フォーカスレンズ１０２を駆動して所定の方向へ所定量動かす。そして、ステップＳ３０３に戻る。
【００２９】
上記ステップＳ３０４にてフォーカスレンズ１０２の位置がスキャン終了位置であるとしてステップＳ３０６へ進む。そして、上記ステップＳ３０１の測距領域設定時にスミアの発生によりスミアエッジの位置を回避するように測距領域設定を行ったことを示す回避設定フラグがＴＲＵＥ（真）であるか調べる。その結果、ＴＲＵＥであればステップＳ３０７へ進み、そうでなければステップＳ３０８へ進む。回避設定フラグがＴＲＵＥであるとしてステップＳ３０７へ進むと、回避設定された測距領域の焦点評価値について、補正計算（加算）を行う。補正計算は同じフォーカスレンズ位置で得られた回避設定された測距領域の各焦点評価値を加算する。加算の際に回避設定された測距領域の面積比や配置などに基づいて、重み付け加算を行っても良い。その後はステップＳ３０８へ進む。
【００３０】
次のステップＳ３０８では、焦点評価値演算回路１１７により測距領域毎に上記ステップＳ３０３で記憶した焦点評価値、もしくは上記ステップＳ３０７で補正計算した焦点評価値に基づいて、所定値以上のピーク値の有無により合焦判定を行う。続くステップＳ３０９では、上記ステップＳ３０８における合焦判定結果が合焦であった測距領域があるか調べ、合焦した測距領域があればステップＳ３１０へ進み、そうでなければステップＳ３１１へ進む。
【００３１】
合焦した測距領域があるとしてステップＳ３１０へ進むと、合焦位置決定部１１８により合焦であった測距領域毎に上記所定値以上のピーク値を示したときのフォーカスレンズ１０２の位置、すなわち合焦位置を抽出する。そして、合焦位置が複数であれば最至近の合焦位置を選択して、フォーカスレンズ１０２を移動する。さらに、合焦領域決定部１１９により操作表示部１１０に合焦した測距領域を表示する。
【００３２】
また、合焦した測距領域がないとしてステップＳＳ３０９からステップＳ３１１へ進むと、上記所定値以上のピーク値が求まらなかった場合であるため、すなわち非合焦であるため、定点と呼ばれるあらかじめ設定された位置へフォーカスレンズ１０２を移動する。
【００３３】
次に、図４および図５を用いて、測距領域設定について説明する。ここに、図４は、図３のステップＳ３０１にて実行される測距領域設定の動作を示すフローチャート、図５はスミア検出結果と顔検出結果により変化する測距領域設定を示す図であり、測距領域設定部１１６により制御される。
【００３４】
まず、測距領域設定における基本的な考え方としては、二つある。第一には、顔が検出された時には顔位置に測距領域を設定し、顔が検出されなければ撮影画面中央部に複数の測距領域設定を行うこと。第二には、上記第一に従って測距領域設定を行うとスミアエッジが設定する測距領域内に位置してしまう場合に、スミアエッジを避けて測距領域設定を行うことである。
【００３５】
ここで、図５に示すスミア検出結果と顔検出結果により変化する測距領域設定について説明する。
【００３６】
まず、顔が検出された時の測距領域設定については、図５（ａ）に示すように、検出された顔の位置に検出された顔とほぼ同じ大きさの測距領域を設定する。また、顔の検出位置にスミアエッジが検出された時には、図５（ｂ）に示すように、顔検出位置においてスミアエッジを避けて測距領域を設定する。スミアエッジを避ける具体的な設定方法としては、スミア領域の内と外に測距領域を分割して設定する方法がある。スミアエッジが検出されなければ測距領域を１つ設定するところを、スミアエッジを境界として２つ以上の測距領域を設定する。
【００３７】
次に、スミアも顔も検出されない時の測距領域設定は、図５（ｃ）に示すように、多くのシーンで主被写体を適切に測距することと、背景にピントが合ってしまう中抜け現象を防止することを目的とする。そして、撮影画面中央部面積比３０％程度の範囲に複数の測距領域を設定する。以下、スミア／顔未検出時測距領域設定と記す。
【００３８】
図５（ｄ）に示す測距領域設定は、顔は検出されず、前記スミア／顔未検出時測距領域設定、すなわち図５（ｃ）の測距領域設定の範囲内でスミアエッジが検出された時に、同範囲においてスミアエッジを避けて測距領域を設定したものである。
【００３９】
図５（ｅ）に示す測距領域設定は、検出されたスミア領域幅が狭い場合の測距領域設定である。ここで、図５（ｂ）で示したように、スミア領域の内部に測距領域を設定すると、測距中の手振れなどによりスミア領域と対応する測距領域がずれて、スミアエッジの影響を受けた焦点評価値となり誤測距する恐れがある。そのため、図５（ｅ）に示す測距領域設定は、スミア領域内には測距領域を設定せず、スミア領域の両外側に測距領域を設定したものである。
【００４０】
次に、測距領域設定について、図４のフローチャートを用いて説明する。
【００４１】
まず、ステップＳ４０１では、スミア検出回路１２１にてスミアの発生領域があるか調べ、スミア発生領域があればステップＳ４０４へ進み、そうでなければステップＳ４０２へ進む。スミア発生領域がないとしてステップＳ４０２へ進むと、ここでは顔検出回路１１５にて顔が検出されているか調べ、顔が検出されていれば後述のステップＳ４１２へ進む。また、顔が検出されていなければステップＳ４０３へ進み、スミア／顔未検出時測距領域設定を行う。
【００４２】
スミア発生領域があるとしてステップＳ４０１からステップＳ４０４へ進むと、スミア検出回路１２１にて所定幅で所定値以上の輝度差があるスミアエッジの位置を検出する。そして、次のステップＳ４０５にて、顔検出回路１１５にて顔が検出されているか調べ、顔が検出されていればステップＳ４１０へ進み、そうでなければステップＳ４０６へ進む。
【００４３】
顔が検出されていないとしてステップＳ４０６へ進むと、スミア／顔未検出時測距領域設定の範囲にスミアエッジ位置が検出されているか調べる。そして、次のステップＳ４０７にて、スミアエッジ位置が検出されていればステップＳ４０８へ進み、そうでなければステップＳ４０３へ進む。ステップＳ４０８へ進むと、スミア／顔未検出時測距領域設定の範囲において、図５（ｄ）に示すように、スミアエッジ位置を避けて測距領域を設定し、次のステップＳ４０９にて、回避設定フラグをＴＲＵＥにする。
【００４４】
一方、顔が検出されているとしてステップＳ４０５からステップＳ４１０へ進むと、顔検出回路１１５にて検出された顔の位置にスミアエッジ位置が検出されているか調べる。そして、次のステップＳ４１１にて、スミアエッジ位置が検出されていればステップＳ４１３へ進む。そうでなければステップＳ４１２へ進み、顔検出回路１１５にて検出された顔の位置に測距領域の設定を行う。スミアエッジ位置が検出されているとしてステップＳ４１３へ進むと、顔検出回路１１５にて検出された顔の位置において、図５（ｂ）あるいは図５（ｅ）に示すように、スミアエッジ位置を避けて測距領域を設定する。そして、次のステップＳ４１４にて、回避設定フラグをＴＲＵＥにする。
【００４５】
次に、図２のステップＳ２１２にて実行される撮影動作について、図６のフローチャートを用いて説明する。
【００４６】
まず、ステップＳ６０１では、被写体輝度を測定する。次のステップＳ６０２では、上記ステップＳ６０１にて測定した被写体輝度に応じて撮像素子１０３への露光を行う。撮像素子１０３面上に結像された像は光電変換されてアナログ信号となり、続くステップＳ６０３にて、Ａ／Ｄ変換器１０５へと送られ、撮像素子１０３の出力ノイズ除去や非線形処理などの前処理の後にデジタル信号に変換される。
【００４７】
次のステップＳ６０４では、Ａ／Ｄ変換器１０５からの出力信号を画像処理部１０８により上記スミア補正やホワイトバランス調整などの画像処理を実行して適正な出力画像信号とする。そして、次のステップＳ６０５にて、出力画像信号をＪＰＥＧフォーマット等への画像フォーマット変換を行い、続くステップＳ６０６にて、記録媒体１０９へ転送し、記憶する。
【００４８】
本実施例に係る自動焦点調節装置は、撮像光学系によって結像された被写体像を撮像する撮像素子１０３を有する。さらに、撮像された画像信号中の高周波成分を焦点評価値として検出する。そして、該焦点評価値に基づいてフォーカスレンズ１０２を駆動して合焦動作を行う合焦手段（システム制御部１１３，フォーカスレンズ駆動回路１１４，焦点評価値演算回路１１７，合焦位置決定部１１８，合焦領域決定部１１９）を有する。さらに、撮影画面の任意の位置に任意の大きさの測距領域を設定することが可能な測距領域設定手段（測距領域設定部１１６）と、撮像された画像信号からスミアの発生領域を検出するスミア検出手段（スミア検出回路１２１）とを有する。そして、上記測距領域設定手段が、スミア検出手段により検出されたスミアエッジを避けて、測距領域の位置と大きさ、および測距領域の数を設定するようにしている。
【００４９】
また、撮像された画像を用いて顔検出を行う顔検出手段（顔検出回路１１５）を有する。そして、測距領域設定手段は、顔検出手段の顔検出結果に基づいて測距領域を設定する際に、スミア検出手段により検出されたスミアエッジを避けて、測距領域の位置と大きさ、および、前記測距領域の数を設定する。
【００５０】
また、上記自動焦点調節装置を具備する撮像装置であるデジタルカメラは、スミアを補正するスミア補正手段（スミア補正回路１２２）を有すると共に、被写体画像を表示する電子ビューファインダ機能（ＥＶＦ機能）を有する。そして、上記スミア補正手段は、自動露出動作時やＥＶＦ表示動作時にはスミア補正を実施するが、合焦動作時にはスミア補正を行わないようにしている。
【００５１】
以上から明らかなように、スミアの影響を受けずに所望の被写体の測距を可能にしているため、ＡＦ動作時のスミア補正は必ずしも必要ではない。このため、スミア補正に必要なＯＢ領域も読み飛ばすことが可能なため、ＡＦ動作開始直前のスミア領域検出情報を保存しておけば、撮像素子１０３の高速読み出しによりＡＦ動作の高速化を図ることが可能となる。
【００５２】
つまり、スミアが所望の被写体に重なるように発生した場合であっても、所望の被写体についてＡＦ制御を行うことができる自動焦点調節装置を提供可能となる。
【００５３】
なお、ＡＦ動作中にも操作表示部１１０に被写体を表示する場合には、見た目を考慮してスミア補正を行っても良い。また、図３のステップＳ３０７では、焦点評価値の補正計算を行うとしたが、例えば、回避設定された測距領域をそれぞれ独立した測距領域の扱いとしてもよい。また、それぞれの測距領域の合焦位置から平均合焦位置を求める方法なども考えられ、補正計算に限られるものではない。
【００５４】
また、以上で説明した図５（ｅ）のスミア領域幅が狭い場合について、スミア領域内には測距領域を設定しないとしたが、スミア領域内に測距領域を設定して焦点評価値の取得を行い、その結果により該測距領域の測距結果を使わないとすることも可能である。また、スミアエッジを避けて測距領域を設定する際のスミアエッジの位置と測距領域の間隔であるが、スミア領域が狭い場合と同様に測距中の手振れの影響などによってスミアエッジが測距領域に出入りする可能性が考えられる。そのため、焦点距離などによって前記間隔設定を変更する構成としても良い。
【図面の簡単な説明】
【００５５】
【図１】本発明の一実施例に係るデジタルカメラの概略構成を示すブロック図である。
【図２】本発明の一実施例に係るデジタルカメラの一連の動作を示すフローチャートである。
【図３】図２のステップＳ２０９にて実行されるＡＦ動作を示すフローチャートである。
【図４】図３のステップＳ３０１にて実行される測距領域設定の動作を示すフローチャートである。
【図５】本発明の一実施例に係るスミア検出結果と顔検出結果により変化する測距領域設定を示す図である。
【図６】図２のステップＳ２１２にて実行される撮影動作を示すフローチャートである。
【図７】一般的なスミア領域検出についての説明図である。
【符号の説明】
【００５６】
１０１    光学系
１０２    フォーカスレンズ
１０３    撮像素子
１０８    画像処理部
１０９    記録媒体
１１０    操作表示部
１１３    システム制御部
１１４    フォーカスレンズ駆動回路
１１５    顔検出回路
１１６    測距領域設定部
１１７    焦点評価値演算部
１１８    合焦位置決定部
１１９    合焦領域決定部
１２１    スミア検出回路
１２２    スミア補正回路
【図１】
0005159295.tif 000002
【図２】
0005159295.tif 000003
【図３】
0005159295.tif 000004
【図４】
0005159295.tif 000005
【図５】
0005159295.tif 000006
【図６】
0005159295.tif 000007
【図７】
0005159295.tif 000008